(57)【要約】【課題】  ランプの一斉交換を行う時期の目安を与えることができる照明システムを提供する。【解決手段】  複数個の照明器具と、各照明器具にそれぞれ供給される電力を検出する通電検出装置２とを供える。各照明器具にはそれぞれ光源としてのランプとランプの明るさを検出する明るさセンサ１１とが設けられている。また、高いほど各照明器具のランプの一斉交換の意義があることを示す寿命率を、通電検出装置２の出力に基づいて得られた累積点灯時間と各明るさセンサ１１の出力とを用いて演算する寿命率演算装置３と、寿命率演算装置３によって演算された寿命率に基づいて各照明器具のランプの一斉交換の時期の目安となる情報を表示する表示装置４とを備える。表示装置４に表示される情報により、ランプを一斉交換すべき時期の目安が与えられる。【選択図】図１
2008243509.tif 000002
【特許請求の範囲】
【請求項１】
それぞれランプとランプを点灯させる点灯手段とを有し少なくとも１個のグループを構成しグループ毎に一斉にオンオフされランプの累積点灯時間がグループ毎に共通となる複数個の照明器具と、
照明器具のグループ毎に設けられて該グループに属する各照明器具のランプの累積点灯時間を計時する計時手段と、
照明器具毎に設けられて該照明器具のランプの光を検出する明るさセンサと、
高いほどランプの一斉交換の意義があることを示す数値である寿命率を照明器具のグループ毎に演算する寿命率演算手段と、
寿命率演算手段によって演算された寿命率に基づいて、ランプを一斉交換すべき時期の目安となる情報を表示する表示手段とを備え、
寿命率演算手段は、計時手段から得られた累積点灯時間を、累積点灯時間に対する単調増加関数である寿命関数に代入することによって寿命率を得るものであって、
寿命率演算手段は、点灯中のグループにおいてランプが寿命末期である照明器具が占める割合を電力検出手段に検出された消費電力に基づいて判定するとともに、グループにおいてランプが寿命末期である照明器具が占める割合が多いほど寿命率が高くなるように、寿命関数の係数を照明器具のグループ毎に随時変更することを特徴とする照明システム。
【請求項２】
それぞれランプとランプを点灯させる点灯手段とを有し少なくとも１個のグループを構成しグループ毎に一斉にオンオフされランプの累積点灯時間がグループ毎に共通となる複数個の照明器具と、
照明器具のグループ毎に設けられて該グループに属する各照明器具のランプの累積点灯時間を計時する計時手段と、
照明器具のグループ毎に設けられて該グループにおける消費電力を検出する電力検出手段と、
高いほどランプの一斉交換の意義があることを示す数値である寿命率を照明器具のグループ毎に演算する寿命率演算手段と、
寿命率演算手段によって演算された寿命率に基づいて、ランプを一斉交換すべき時期の目安となる情報を表示する表示手段とを備え、
寿命率演算手段は、計時手段から得られた累積点灯時間を、累積点灯時間に対する単調増加関数である寿命関数に代入することによって寿命率を得るものであって、
寿命率演算手段は、点灯中のグループにおいてランプが寿命末期である照明器具が占める割合を電力検出手段に検出された消費電力に基づいて判定するとともに、グループにおいてランプが寿命末期である照明器具が占める割合が多いほど寿命率が高くなるように、寿命関数の係数を照明器具のグループ毎に随時変更することを特徴とする照明システム。
【請求項３】
照明器具のグループ毎に設けられて対応するグループの各照明器具がそれぞれ設置された環境の気温を検出する温度センサと、
照明器具のグループ毎に設けられて対応するグループの各照明器具がそれぞれ設置された環境の湿度を検出する湿度センサとを備え、
寿命率演算手段は、いずれかのグループの寿命関数の係数を変更するに当っては、該グループの温度センサによって検出された温度が所定の範囲を外れている期間や該グループの湿度センサによって検出された湿度が所定の範囲を外れている期間に該グループの各照明器具のランプがそれぞれ点灯された時間が長いほど寿命率が高くなるように寿命関数の係数を変更することを特徴とする請求項１又は請求項２記載の照明システム。
【発明の詳細な説明】
【技術分野】
【０００１】
本発明は、照明システムに関するものである。
【背景技術】
【０００２】
従来から、複数のランプを備える照明システムが提供されている（例えば、特許文献１参照）。
【０００３】
従来、照明システムにおいては、いずれかのランプが寿命末期となる度に、寿命末期となったランプを交換していた。
【特許文献１】特開２００３−１７２７８号公報
【発明の開示】
【発明が解決しようとする課題】
【０００４】
しかし、常駐している管理者が存在しない場合は、ランプの交換の度に管理者の移動のためのコストや人件費が必要となる。従って、上記のようにランプが寿命末期となる度に交換作業を行うよりも、ランプの寿命よりもやや短い程度の間隔でランプの一斉交換を行うことが望ましいが、ランプの寿命は使用環境や使用形態によっても変動し、ランプ毎のばらつきもあるため、交換時期の判断が難しいという問題があった。
【０００５】
本発明は、上記事由に鑑みて為されたものであり、その目的は、ランプの一斉交換を行う時期の目安を与えることができる照明システムを提供することにある。
【課題を解決するための手段】
【０００６】
請求項１の発明は、それぞれランプとランプを点灯させる点灯手段とを有し少なくとも１個のグループを構成しグループ毎に一斉にオンオフされランプの累積点灯時間がグループ毎に共通となる複数個の照明器具と、照明器具のグループ毎に設けられて該グループに属する各照明器具のランプの累積点灯時間を計時する計時手段と、照明器具毎に設けられて該照明器具のランプの光を検出する明るさセンサと、高いほどランプの一斉交換の意義があることを示す数値である寿命率を照明器具のグループ毎に演算する寿命率演算手段と、寿命率演算手段によって演算された寿命率に基づいて、ランプを一斉交換すべき時期の目安となる情報を表示する表示手段とを備え、寿命率演算手段は、計時手段から得られた累積点灯時間を、累積点灯時間に対する単調増加関数である寿命関数に代入することによって寿命率を得るものであって、寿命率演算手段は、点灯中のグループにおいてランプが寿命末期である照明器具が占める割合を電力検出手段に検出された消費電力に基づいて判定するとともに、グループにおいてランプが寿命末期である照明器具が占める割合が多いほど寿命率が高くなるように、寿命関数の係数を照明器具のグループ毎に随時変更することを特徴とする。
【０００７】
この発明によれば、表示手段に表示される情報により、ランプを一斉交換すべき時期の目安が与えられる。
【０００８】
請求項２の発明は、それぞれランプとランプを点灯させる点灯手段とを有し少なくとも１個のグループを構成しグループ毎に一斉にオンオフされランプの累積点灯時間がグループ毎に共通となる複数個の照明器具と、照明器具のグループ毎に設けられて該グループに属する各照明器具のランプの累積点灯時間を計時する計時手段と、照明器具のグループ毎に設けられて該グループにおける消費電力を検出する電力検出手段と、高いほどランプの一斉交換の意義があることを示す数値である寿命率を照明器具のグループ毎に演算する寿命率演算手段と、寿命率演算手段によって演算された寿命率に基づいて、ランプを一斉交換すべき時期の目安となる情報を表示する表示手段とを備え、寿命率演算手段は、計時手段から得られた累積点灯時間を、累積点灯時間に対する単調増加関数である寿命関数に代入することによって寿命率を得るものであって、寿命率演算手段は、点灯中のグループにおいてランプが寿命末期である照明器具が占める割合を電力検出手段に検出された消費電力に基づいて判定するとともに、グループにおいてランプが寿命末期である照明器具が占める割合が多いほど寿命率が高くなるように、寿命関数の係数を照明器具のグループ毎に随時変更することを特徴とする。
【０００９】
この発明によれば、表示手段に表示される情報により、ランプを一斉交換すべき時期の目安が与えられる。
【００１０】
請求項３の発明は、請求項１又は請求項２の発明において、照明器具のグループ毎に設けられて対応するグループの各照明器具がそれぞれ設置された環境の気温を検出する温度センサと、照明器具のグループ毎に設けられて対応するグループの各照明器具がそれぞれ設置された環境の湿度を検出する湿度センサとを備え、寿命率演算手段は、いずれかのグループの寿命関数の係数を変更するに当っては、該グループの温度センサによって検出された温度が所定の範囲を外れている期間や該グループの湿度センサによって検出された湿度が所定の範囲を外れている期間に該グループの各照明器具のランプがそれぞれ点灯された時間が長いほど寿命率が高くなるように寿命関数の係数を変更することを特徴とする。
【００１１】
この発明によれば、温度や湿度を寿命関数に反映させることができる。また、全てのグループで共通の温度センサや湿度センサを用いる場合に比べ、より適切な温度や湿度を用いることができる。
【発明の効果】
【００１２】
請求項１の発明及び請求項２の発明によれば、高いほどランプの一斉交換の意義があることを示す数値である寿命率を照明器具のグループ毎に演算する寿命率演算手段と、寿命率演算手段によって演算された寿命率に基づいて、ランプを一斉交換すべき時期の目安となる情報を表示する表示手段とを備えるので、表示手段に表示される情報により、ランプを交換すべき時期の目安が与えられる。
【００１３】
請求項３の発明によれば、照明器具のグループ毎に設けられて対応するグループの各照明器具がそれぞれ設置された環境の気温を検出する温度センサと、照明器具のグループ毎に設けられて対応するグループの各照明器具がそれぞれ設置された環境の湿度を検出する湿度センサとを備え、寿命率演算手段は、いずれかのグループの寿命関数の係数を変更するに当っては、該グループの温度センサによって検出された温度が所定の範囲を外れている期間や該グループの湿度センサによって検出された湿度が所定の範囲を外れている期間に該グループの各照明器具のランプがそれぞれ点灯された時間が長いほど寿命率が高くなるように寿命関数の係数を変更するので、温度や湿度を寿命関数に反映させることができる。また、全てのグループで共通の温度センサや湿度センサを用いる場合に比べ、より適切な温度や湿度を用いることができる。
【発明を実施するための最良の形態】
【００１４】
以下、本発明を実施するための最良の形態について、図面を参照しながら説明する。
【００１５】
本実施形態はビルにおいて用いられる照明システムであって、図２に示すように、商用電源ＡＣから分電盤Ｂで分配された電力が供給される複数個の照明器具１を備える。
【００１６】
各照明器具１は、それぞれ光源としてのランプ（図示せず）とランプを点灯する点灯装置（図示せず）とを有する。
【００１７】
また、照明器具１は、例えば同じ部屋や同じ階など設置場所が互いに近いもの同士を同じグループＧ１〜Ｇ３として複数個のグループＧ１〜Ｇ３に分けられており、グループＧ１〜Ｇ３毎に分電盤Ｂで分配された電力が供給されている。
【００１８】
本実施形態においては、各照明器具１はグループＧ１〜Ｇ３毎に設けられた図示しないスイッチによってグループＧ１〜Ｇ３毎に一括してオンオフされ、同一グループＧ１〜Ｇ３内では各照明器具のランプの累積点灯時間が共通となっている。
【００１９】
各グループＧ１〜Ｇ３では、それぞれ１個の照明器具１が、通電量を検出する通電検出装置２を介して分電盤Ｂに接続され、他の各照明器具１にはそれぞれ例えば送り配線により電力が供給されている。通電検出装置２はグループＧ１〜Ｇ３毎に設けられてそれぞれ調光手段を兼ねており、各照明器具１に供給する電力を制御して照明器具１の定格電力よりも低くすることにより、定格点灯時の光出力に対する光出力の比（以下、「調光比」と呼ぶ。）をグループＧ１〜Ｇ３内の全ての照明器具１で一括して変更（以下、「調光制御」と呼ぶ。）することが可能となっている。
【００２０】
また、本実施形態の照明システムは、図１に示すように、高いほど各照明器具１のランプの一斉交換の意義があることを示す数値である寿命率を算出する寿命率演算装置３と、寿命率演算装置３によって算出された寿命率に基づいてランプを一斉交換すべき時期の目安となる情報を表示する表示装置４とを備える。寿命率演算装置３や表示装置４は、照明器具１や通電検出装置２から離れた遠隔地に配置されていてもよい。
【００２１】
表示装置４は、例えば寿命率を表示するディスプレイであってもよいし、寿命率が所定の閾値を上回ったときにランプの交換を要求する表示灯を点灯させるものであってもよい。または、表示装置４として使用者が所持する携帯電話やパーソナルコンピュータなどの端末器を用い、使用者からの要請に応じて公衆網を通じて上記端末器に寿命率の通知がなされるようにしたり、寿命率が所定の閾値を上回ったときに公衆網を通じて上記端末器にランプの一斉交換の要求がなされるようにしてもよい。
【００２２】
表示装置４は、寿命率の報知やランプの一斉交換の要求をグループＧ１〜Ｇ３毎に行う。これにより、グループＧ１〜Ｇ３毎に、各照明器具１のランプを一斉交換すべき時期の目安が与えられる。なお、寿命率の平均値が所定の閾値を上回ったときに、表示装置４によって使用者にランプの一斉交換の要求がなされるようにし、全てのグループＧ１〜Ｇ３の照明器具１のランプを一斉交換すべき時期の目安を与えるようにしてもよい。
【００２３】
以下、本発明の主要部である寿命率演算装置３について具体的に説明する。寿命率演算装置３は不揮発性メモリからなる記憶部（図示せず）を有し、記憶部には累積点灯時間と寿命率との関係を示す寿命関数が予め格納されている。本実施形態における寿命関数は、多数のランプについてそれぞれ連続して定格点灯させた場合における寿命末期に至るまでの累積点灯時間を計測することによって得られたデータを、累積点灯時間を横軸にとり、その累積点灯時間までに寿命末期となるランプの数の全体に占める割合を縦軸に取ったグラフに表し、これを適当な関数にフィッティングして得られるものであって、図３に曲線Ｌ１で示すような、累積点灯時間に対する単調増加関数である。
【００２４】
寿命率演算装置３は、通電検出装置２によって検出された通電量（すなわち各照明器具１における消費電力）に基づいて各照明器具１のランプがオフからオンに切り替わったことを検出してその回数（以下、「点滅回数」と呼ぶ。）を計数するとともに、各照明器具１のランプの累積点灯時間を計時しており、この累積点灯時間を寿命関数に代入することによって寿命率を得るという処理を、グループＧ１〜Ｇ３毎に行う。すなわち、本実施形態における寿命率演算装置３は計時手段でもある。また、本実施形態における寿命率は、ランプのうち寿命末期であるものが占める割合のおおよその期待値である。つまり、寿命率が高いほど寿命末期のランプが多いことを意味し、すなわちランプの一斉交換の意義があるということになる。
【００２５】
ここで、ランプの寿命は使用状況によって異なる。具体的には、低い調光比で長時間点灯するほどランプの寿命は長くなり、逆に、点滅回数が多いほどランプの寿命は短くなる。さらに、極端に高い温度や極端に低い温度の環境下でのオンオフ並びに点灯を行うと、その点滅回数や点灯時間に応じてランプの寿命はより短くなる。そこで、本実施形態の寿命率演算装置３は、グループＧ１〜Ｇ３毎に、上記使用状況を判断して寿命関数の係数を随時変更する。
【００２６】
具体的に説明すると、本実施形態は、周囲の温度（気温）を検出する温度センサ５と、周囲の湿度を検出する湿度センサ６とを、それぞれグループＧ１〜Ｇ３毎に備える。温度センサ５と湿度センサ６とは、対応するグループＧ１〜Ｇ３の各照明器具１と温度や湿度の条件が揃えられるように、それぞれ例えば対応するグループＧ１〜Ｇ３の各照明器具１と同じ階や部屋など、対応するグループＧ１〜Ｇ３の各照明器具１の近くに配置することが望ましい。温度センサ５及び湿度センサ６はそれぞれ周知の技術で実現可能であるので、詳細な説明は省略する。
【００２７】
寿命率演算器３は、各照明器具１の点滅回数が多いほど、また、温度センサ５によって検出された温度が所定の範囲を外れている期間や湿度センサ６によって検出された湿度が所定の範囲を外れている期間内での点滅回数が多いほど、また、温度センサ５によって検出された温度が所定の範囲を外れている期間や湿度センサ６によって検出された湿度が所定の範囲を外れている期間に各照明器具１のランプがそれぞれ点灯された時間が長いほど、それぞれ寿命率を高くする方向に、寿命関数の係数を変更する。温度に関し、上記所定の範囲は例えば１５℃〜３５℃とする。
【００２８】
また、寿命率演算装置３は、各照明器具１がそれぞれ１００％未満の調光比で点灯（以下、「調光点灯」と呼ぶ。）されている期間について、調光比が低いほど、また調光点灯されている時間が長いほど、それぞれ寿命率を低くする方向に、寿命関数の係数を変更する。
【００２９】
さらに、本実施形態では、各照明器具１に、それぞれランプの明るさを検出する明るさセンサ１１が設けられている。寿命率演算装置３は、点灯中のグループＧ１〜Ｇ３においていずれかの照明器具１で明るさセンサ１１の出力が所定の点灯閾値を下回っていたときに、その照明器具１のランプが寿命末期であると判定する。また、寿命率演算装置３の記憶部には、予めグループＧ１〜Ｇ３毎の照明器具１の個数が格納されている。そして、寿命率演算装置３は、グループＧ１〜Ｇ３毎に、ランプが寿命末期と判定された照明器具１が占める割合（以下、「寿命末期率」と呼ぶ。）を算出して寿命率と比較し、寿命率を寿命末期率に近づけるように寿命関数の係数を変更する。すなわち、寿命末期率が寿命率よりも低ければ図４に曲線Ｌ２で示すように寿命率を高くするように寿命関数の係数を変更し、寿命末期率が寿命率よりも高ければ寿命率を低くするように寿命関数の係数を変更する。
【００３０】
寿命率が高くなるように寿命関数の係数を変更する具体的な方法としては、例えば、寿命関数全体に１より大きい定数を乗じる（つまり、全ての係数を定数倍する）ことや、寿命関数の定数項（つまり、０次の項の係数）を加算することが考えられる。逆に、寿命率が低くなるように寿命関数の係数を変更するには、寿命関数全体に１より小さい正の定数を乗じることが考えられる。寿命関数の係数を変更する各場合について、寿命関数の係数に乗じる数や加算する数と、点滅回数や点灯時間や調光比との適切な関係式は、照明器具１のランプの形態や点灯装置の回路構成等によって異なり、例えば実験によって求めればよい。
【００３１】
寿命率演算装置３が寿命関数の係数を変更するタイミングとしては、各照明器具１のランプのオンオフや調光比の変更といったトリガが与えられる度に寿命関数の係数を変更するようにしてもよいし、図５に示すような点灯条件（調光比や温度・湿度）やランプ残存率（１００−寿命末期率）や点滅回数や累積点灯時間の履歴を蓄積して所定の更新時間（例えば６ヶ月）毎に定期的に寿命関数の係数を変更するようにしてもよい。
【００３２】
上記構成によれば、表示装置４に表示される情報により、各照明器具１のランプを一斉交換すべき時期の目安が与えられる。
【００３３】
なお、各照明器具１にそれぞれ明るさセンサ１１を設ける代わりに、いずれかのグループＧ１〜Ｇ３において照明器具１のランプが点灯しているときに、寿命率演算装置３が、該グループＧ１〜Ｇ３の通電検出装置２において検出された通電量と調光比とに基づいて、該グループＧ１〜Ｇ３においてランプが寿命末期である照明器具１の占める割合を算出するようにしてもよい。
【００３４】
また、温度センサ５や湿度センサ６としては全てのグループＧ１〜Ｇ３で共通のものを用いることもできるが、本実施形態のようにグループＧ１〜Ｇ３毎にそれぞれ該グループＧ１〜Ｇ３の各照明器具１の近く（例えば同じ部屋や階）に温度センサ５や湿度センサ６を設け、いずれかのグループＧ１〜Ｇ３の寿命関数の変更に当っては該グループと同じ部屋や階に設けられた温度センサ５や湿度センサ６を用いるようにしたほうが、より正確な温度や湿度を用いることができるから望ましい。
【図面の簡単な説明】
【００３５】
【図１】本発明の実施形態における電気信号の授受を示すブロック図である。
【図２】同上における電力供給の形態を示すブロック図である。
【図３】寿命関数の一例を示す説明図である。
【図４】寿命関数の変更方法の一例を示す説明図である。
【図５】温度とランプ残存率と点滅回数と累積点灯時間との履歴の一例を示す説明図である。
【符号の説明】
【００３６】
１  照明器具
２  通電検出装置
３  寿命率演算装置
４  表示装置
５  温度センサ
６  湿度センサ
１１  明るさセンサ
【図１】
2008243509.tif 000003
【図２】
2008243509.tif 000004
【図３】
2008243509.tif 000005
【図４】
2008243509.tif 000006
【図５】
2008243509.tif 000007